(57)【要約】【課題】トナーの飛散りを防ぐ処理を行なう画像形成装置を提供する。【解決手段】トナー画像（Ａ）を転写紙に転写する前に、転写紙のトナーが転写されない領域に、トナーとは同極性の静電潜像（Ｂ）が作成される。転写紙においてトナーを付着させたくない所に静電潜像が形成されるため、トナーの飛散り現象が抑制される。【選択図】図３
2010002678.tif 000002
【特許請求の範囲】
【請求項１】
トナー像を担持する像担持体と、
前記像担持体から転写紙にトナー像を転写する転写手段と、
前記転写手段で前記転写紙にトナー像を転写する前に、前記転写紙におけるトナーが転写されない領域に、トナーとは同極性の静電潜像を形成する静電潜像形成手段とを備えた、画像形成装置。
【請求項２】
前記像担持体上で、帯電、露光、および現像の工程を経てトナー画像を形成するトナー像形成手段をさらに備えた、請求項１に記載の画像形成装置。
【請求項３】
前記静電潜像形成手段は、その表面が帯電、露光される感光体を含む、請求項１または２に記載の画像形成装置。
【請求項４】
前記静電潜像形成手段は、少なくとも前記転写紙におけるトナーが転写される領域の周辺の領域に、トナーとは同極性の静電潜像を形成する、請求項１から３のいずれかに記載の画像形成装置。
【請求項５】
前記静電潜像形成手段は、
前記転写紙をトナーとは同極性に帯電させる帯電手段と、
前記帯電手段による帯電後の転写紙における、トナーが転写される領域の電荷を除去する除去手段とを備えた、請求項１から４のいずれかに記載の画像形成装置。
【請求項６】
前記像担持体は、カラーに対応した複数の像担持体であり、
前記静電潜像形成手段は、前記複数の像担持体のうち最上流の像担持体によるトナーが転写されない領域に、トナーとは同極性の静電潜像を形成する、請求項１から５のいずれかに記載の画像形成装置。
【請求項７】
前記像担持体は、カラーに対応した複数の像担持体であり、
前記静電潜像形成手段は、黒色のトナーが転写されない領域に、トナーとは同極性の静電潜像を形成する、請求項１から６のいずれかに記載の画像形成装置。
【請求項８】
前記像担持体は、カラーに対応した複数の像担持体であり、
前記静電潜像形成手段は、前記複数の像担持体のそれぞれに対応する複数の静電潜像形成手段であり、前記複数の像担持体の各々のトナーが転写されない領域に、トナーとは同極性の静電潜像を形成する、請求項１から７のいずれかに記載の画像形成装置。
【請求項９】
前記像担持体にトナー像を形成するために潜像を書込むプリントヘッドと、前記静電潜像形成手段において前記転写紙に静電潜像を形成するプリントヘッドは、共通のものが用いられる、請求項１から８のいずれかに記載の画像形成装置。
【請求項１０】
トナー像を担持する像担持体と、
前記像担持体から転写紙にトナー像を転写する転写手段とを備えた画像形成装置の制御方法であって、
前記転写手段で前記転写紙にトナー像を転写する前に、前記転写紙におけるトナーが転写されない領域に、トナーとは同極性の静電潜像を形成する静電潜像形成ステップを備えた、画像形成装置の制御方法。
【発明の詳細な説明】
【技術分野】
【０００１】
この発明は画像形成装置、および画像形成装置の制御方法に関し、特にトナーを使用して画像を形成する電子写真方式の画像形成装置、および画像形成装置の制御方法に関する。
【背景技術】
【０００２】
電子写真式の画像形成装置（スキャナ機能、ファクシミリ機能、複写機能、プリンタとしての機能、データ通信機能、およびサーバ機能を備えたＭＦＰ（Ｍｕｌｔｉ  Ｆｕｎｃｔｉｏｎ  Ｐｅｒｉｐｈｅｒａｌ）、ファクシミリ装置、複写機、プリンタなど）には、トナーを使用して画像を形成し、トナー像を用紙にプリント（転写）するための感光体および現像器が備えられている。
【０００３】
下記特許文献１は、静電潜像の光が照射された部分に第１トナーを、静電潜像の光が照射されていない部分に、第１トナーとは逆極性で且つ光透過性の第２トナーを付着させる画像形成装置を開示する。
【０００４】
特許文献２は、画像の領域分離を行い、テキスト部分と判断された画像に隣接する領域が転写紙の地色の場合に、その隣接領域の所定領域に白色トナーを印字する画像形成装置を開示する。
【０００５】
特許文献３は、中間転写体が静電潜像を形成することができるように構成されており、中間転写体を像担持体表面と同極性に帯電させる帯電部と、中間転写体上に像担持体に形成した静電潜像と同じ静電潜像を形成する部材とを有する画像形成装置を開示する。
【特許文献１】特開２００６−７２３３５号公報
【特許文献２】特開２００２−４９２０５号公報
【特許文献３】特開２００４−４５７７０号公報
【発明の開示】
【発明が解決しようとする課題】
【０００６】
図１０は、画像形成装置の感光体から転写ベルトへ画像を転写する部分を示す図である。
【０００７】
図に示されるように、感光体１上に形成された静電潜像をトナー現像器で現像することで、感光体１上には帯電したトナーＴが付着する。感光体１とそれに対向する転写ローラ１１との間でニップエリアが構成される。転写ローラ１１は、ニップエリアにおいて転写ベルト５１にプラス電荷を付与する。転写ベルト５１が矢印で示される方向に進み、感光体１が矢印で示される方向に回転することで、トナーＴはニップエリアに運ばれ、ニップエリアにおいて転写ベルト５１に転写される。
【０００８】
一般的にこのような転写工程では、「飛散り（トビチリ）」という現象が起こる。転写ローラ１１から印加された電荷が、転写ベルト５１の上流（図において左側の「ニップ上流エリア」）に広がり、飛散り電界が形成されてしまう。本来トナーは転写ニップエリアで転写すべきであるが、ニップ部より上流に広がった電界に引き寄せられてトナーが飛翔してしまう。
【０００９】
飛翔したトナーは本来の画像の周辺に広がった「飛散り」となる。なおここでは、感光体から中間転写ベルトへの飛散りを示したが、直接転写の場合も同様に飛散りが発生する。すなわち、感光体から用紙に直接転写を行なう場合でも、電界が用紙の上流側に広がることで、用紙上にトナーの飛散りが発生する。
【００１０】
電子写真画像とオフセット印刷画像の大きな差異は、文字やドット再現時のトナーの飛散りがあるかないかである。
【００１１】
この発明は上記問題点を解決するためになされたものであり、トナーの飛散りを防ぐ処理を行なう画像形成装置、および画像形成装置の制御方法を提供することを目的としている。
【課題を解決するための手段】
【００１２】
上記目的を達成するためこの発明のある局面に従うと、画像形成装置は、トナー像を担持する像担持体と、像担持体から転写紙にトナー像を転写する転写手段と、転写手段で転写紙にトナー像を転写する前に、転写紙におけるトナーが転写されない領域に、トナーとは同極性の静電潜像を形成する静電潜像形成手段とを備える。
【００１３】
好ましくは、画像形成装置は、像担持体上で、帯電、露光、および現像の工程を経てトナー画像を形成するトナー像形成手段をさらに備える。
【００１４】
好ましくは、静電潜像形成手段は、その表面が帯電、露光される感光体を含む。
【００１５】
好ましくは、静電潜像形成手段は、少なくとも転写紙におけるトナーが転写される領域の周辺の領域に、トナーとは同極性の静電潜像を形成する。
【００１６】
好ましくは、静電潜像形成手段は、転写紙をトナーとは同極性に帯電させる帯電手段と、帯電手段による帯電後の転写紙における、トナーが転写される領域の電荷を除去する除去手段とを備える。
【００１７】
好ましくは、像担持体は、カラーに対応した複数の像担持体であり、静電潜像形成手段は、複数の像担持体のうち最上流の像担持体によるトナーが転写されない領域に、トナーとは同極性の静電潜像を形成する。
【００１８】
好ましくは、像担持体は、カラーに対応した複数の像担持体であり、静電潜像形成手段は、黒色のトナーが転写されない領域に、トナーとは同極性の静電潜像を形成する。
【００１９】
好ましくは、像担持体は、カラーに対応した複数の像担持体であり、静電潜像形成手段は、複数の像担持体のそれぞれに対応する複数の静電潜像形成手段であり、複数の像担持体の各々のトナーが転写されない領域に、トナーとは同極性の静電潜像を形成する。
【００２０】
好ましくは、像担持体にトナー像を形成するために潜像を書込むプリントヘッドと、静電潜像形成手段において転写紙に静電潜像を形成するプリントヘッドは、共通のものが用いられる。
【００２１】
この発明の他の局面に従うと、トナー像を担持する像担持体と、像担持体から転写紙にトナー像を転写する転写手段とを備えた画像形成装置の制御方法は、転写手段で転写紙にトナー像を転写する前に、転写紙におけるトナーが転写されない領域に、トナーとは同極性の静電潜像を形成する静電潜像形成ステップを備える。
【発明の効果】
【００２２】
これらの発明に従うと、トナーの飛散りを防ぐ処理を行なう画像形成装置、および画像形成装置の制御方法を提供することが可能となる。
【発明を実施するための最良の形態】
【００２３】
以下本発明の実施の形態における画像形成装置について説明する。画像形成装置は、「飛散り」を原理的に無くす方法を採用している。すなわち、トナー画像が転写される前の転写紙（用紙）に、画像パターンとは反対の静電潜像を転写させておくことで、トナー画像転写時の飛散りを抑制するものである。
【００２４】
［第１の実施の形態］
【００２５】
図１は、本発明の第１の実施の形態における４サイクル画像形成装置の全体構成を示す図である。
【００２６】
ここでは画像形成装置は、ＭＦＰ１である。ＭＦＰ１は、スキャナ、複写機、プリンタ、ファックスなどの機能を有する複合機である。
【００２７】
ＭＦＰ１は、複数のキー１１ａ、当該キーに対するユーザの操作による各種の指示や、文字・数字などのデータの入力を受付ける操作部１１、ユーザに対する指示メニューや取得した画像に関する情報などの表示を行なうディスプレイ１２、原稿を光学的に読取って画像データを得るスキャナ部１３、画像データに基づいて記録シート上に画像を印刷するプリンタ部１４、用紙を搬送するＡＤＦ１７、画像形成を行なう用紙を収容する給紙トレイ１８、および排紙トレイ１９を備える。
【００２８】
また、マシン内部には各エレメントに供給するＤＣ電源電圧をＡＣ電源から変換する電源部１６、およびマシンを制御するための演算、記憶機能を搭載したコントローラー部２３が備えられる。
【００２９】
図２は、画像形成装置が備える転写部の構成を示す図である。
【００３０】
転写部は、転写搬送ベルト１５１によって転写紙Ｐを右から左に搬送し、トナー画像形成（トナー画像転写）工程において感光体１０１から転写紙Ｐにトナー像を転写するものである。
【００３１】
トナー画像形成（トナー画像転写）工程を実施するための部材として、感光体１０１と、感光体１０１上の残留トナーをクリーニングする清掃部材１０３と、清掃された感光体１０１の表面を帯電させる帯電部材１０５と、帯電後の感光体１０１の表面に潜像を形成するためにその表面を露光する露光部材１０７と、静電潜像を可視画像にするための現像器１０９と、感光体１０１とは転写搬送ベルト１５１を介して対向する転写ローラ１１１とが備えられている。
【００３２】
トナー画像形成（トナー画像転写）工程よりも上流側に、静電潜像を転写紙Ｐに形成する工程（静電潜像形成工程）を実施するための部材が設けられる。
【００３３】
静電潜像形成工程を実施するための部材として、感光体２０１と、感光体２０１の表面を帯電させる帯電部材２０５と、帯電後の感光体２０１の表面に潜像を形成するためにその表面を露光する露光部材２０７とが備えられている。
【００３４】
トナー画像形成工程で形成されるトナー画像パターンと、静電潜像形成工程で形成される静電潜像パターンとは、それぞれが反対のパターンとされる。
【００３５】
ここでは、モノクロ画像を直接転写する場合を示している。帯電、露光過程を経た感光体表面を利用することで、転写紙Ｐに静電潜像が形成される。
【００３６】
図３は、トナー画像パターンと、静電潜像形成工程で形成される静電潜像パターンとを示す図である。
【００３７】
図３（Ａ）は、トナー画像パターンの例を示す図（黒色部分がトナー画像）であり、図３（Ｂ）はそのトナー画像パターンに対応する静電潜像パターン（灰色部分が静電画像）を示す図である。
【００３８】
マイナス帯電のトナー画像を作成する場合であれば、静電潜像形成用の感光体２０１において、マイナス電荷であって、かつトナー画像とは反対のパターンの静電潜像が作成される。例えば、図３（Ａ）のトナー画像を形成する場合は、図３（Ｂ）に示した灰色のパターンの静電潜像を用紙に作ることになる。この静電潜像パターンを作像する露光パターンは、トナー画像と同じ露光パターンになるため、共通のプリントヘッドの光学経路を分岐することで対応することとしてもよい。
【００３９】
飛散り現象は、転写ニップ上流にトナー電荷と逆電荷の分布があることで生じる。静電潜像形成工程で静電潜像パターンを形成し、この余分な電界を抑制することで、飛散り現象が抑制される。
【００４０】
図４は、トナー画像形成工程における転写紙Ｐの電荷を説明するための図である。
【００４１】
静電潜像形成工程の感光体２０１の表面電位は、未露光領域で−６００Ｖとされる。感光体２０１に対向するローラをＧＮＤ（グランド）に接続すれば、転写紙Ｐの表面電位を未露光領域で−２００Ｖ程度にすることができる。静電潜像が露光された領域の感光体表面は−１００Ｖであり、それに対応した転写紙Ｐの表面電位は０Ｖのままとなる。
【００４２】
これにより、図４に示されるようにトナー画像転写工程に到る転写紙Ｐには、トナー像が形成される部分以外の部分にマイナスの電荷が蓄積される（トナー像が形成される部分以外の部分にマイナスの静電潜像が形成される）。トナー像が形成される部分では、電荷がゼロとなる。
【００４３】
感光体１０１上のトナー像を形成するトナーは、マイナスに帯電しているので、これが転写紙Ｐのトナー像が形成される部分以外の部分に飛散ることが防止される。すなわち、トナー画像形成工程の感光体画像上のトナーの極性と、静電潜像の極性とを同じにすることで、両者は反発し合う。これによりトナー像は、飛散ることなく転写紙に転写される。言い換えると、転写紙上に、予めトナー像を転写すべき位置を静電的に指定できるので、「飛散り」現象を防ぐことができる。
【００４４】
なお、静電潜像形成用に感光体ローラを用いることとしたが、静電潜像パターンを形成できる部材であれば、誘電体ローラなどを用いてもよい。
【００４５】
［第２の実施の形態］
【００４６】
以下に、本発明の第２の実施の形態における画像形成装置が第１の実施の形態におけるそれと異なる点について説明する。
【００４７】
図３（Ｂ）のように、トナー像が形成されない部分の全面わたりトナー画像の反転パターンを潜像として形成しなくても、トナー画像に隣接する周辺部分だけに静電潜像を形成することで、トナーの飛散り防止という効果を得ることができる。
【００４８】
図５は、第２の実施の形態における画像形成装置の静電潜像形成工程で形成される静電潜像パターンを示す図である。
【００４９】
図３（Ａ）のトナー像を転写紙Ｐに形成する場合に、トナー像から所定の距離にあるエリアに、静電潜像が形成される。トナー画像形成工程の感光体画像上のトナーの極性と、静電潜像の極性とを同じにすることで、両者は反発し合う。これによりトナー像は、飛散ることなく転写紙に転写される。
【００５０】
［第３の実施の形態］
【００５１】
以下に、本発明の第３の実施の形態における画像形成装置が第１または第２の実施の形態におけるそれと異なる点について説明する。
【００５２】
図６は、第３の実施の形態における画像形成装置が備える転写部の構成を示す図である。
【００５３】
転写部は、転写搬送ベルト１５１によって転写紙Ｐを右から左に搬送し、トナー画像形成（トナー画像転写）工程において感光体１０１から転写紙Ｐにトナー像を転写するものである。
【００５４】
トナー画像形成（トナー画像転写）工程を実施するための部材として、感光体１０１と、感光体１０１上の残留トナーをクリーニングする清掃部材１０３と、清掃された感光体１０１の表面を帯電させる帯電部材１０５と、帯電後の感光体１０１の表面に潜像を形成するためにその表面を露光する露光部材１０７と、静電潜像を可視画像にするための現像器１０９と、感光体１０１とは転写搬送ベルト１５１を介して対向する転写ローラ１１１とが備えられている。
【００５５】
トナー画像形成（トナー画像転写）工程よりも上流側に、静電潜像を転写紙Ｐに形成する工程（静電潜像形成工程）を実施するための部材が設けられる。
【００５６】
静電潜像形成工程を実施するために、まず、転写紙Ｐの全面にマイナス（トナーと同極）帯電を施し、その後、トナー画像に相当する領域だけをプラス荷電の感光体表面で除電（電荷除去）することで、図３（Ｂ）や図５のような潜像が形成される。
【００５７】
すなわち、静電潜像形成工程を実施するための部材として、転写紙Ｐ全面にマイナス帯電を施す帯電チャージャー３５１と、帯電チャージャー３５１よりも下流に備えられる感光体３０１と、感光体３０１の表面をプラスに帯電させる帯電部材３０５と、帯電後の感光体３０１の表面に潜像を形成するためにその表面を露光する露光部材３０７とが備えられている。
【００５８】
帯電チャージャー３５１を接触式ローラとすれば、−６００Ｖの印加で転写紙Ｐを−２００Ｖに設定することができる。静電潜像形成用の感光体３０１の静電潜像を形成する部分の表面電位は＋３００Ｖ程度でよい。対向のローラ３１１はＧＮＤにしておけばよい。
【００５９】
なお、転写紙Ｐをマイナスに荷電するだけでも「飛散り」現象を抑制することができるが、トナー画像部に相当する領域を除電しないと、トナーの転写効率が低下する。感光体３０１を用いることで、このようなトナーの転写効率低下の問題を解決することができる。
【００６０】
［第４の実施の形態］
【００６１】
以下に、本発明の第４の実施の形態における画像形成装置が第１または第２の実施の形態におけるそれと異なる点について説明する。
【００６２】
第４の実施の形態における画像形成装置は、フルカラーの直接転写方式を採用する。用紙にプリントを行なう第１色目のトナー像に対してだけ、転写紙Ｐに静電潜像を形成する工程を付加する。第１色目のトナー像は、飛散りが目立ちやすい黒色トナー像などにすることが好ましい。潜像形成工程では、現像部が不要であるため、感光体径を小さくすることができる。
【００６３】
図７は、第４の実施の形態における画像形成装置が備える転写部の構成を示す図である。
【００６４】
転写部は、転写搬送ベルト１５１によって転写紙Ｐを右から左に搬送し、トナー画像形成（トナー画像転写）工程において感光体から転写紙Ｐにトナー像を転写するものである。
【００６５】
トナー画像形成（トナー画像転写）工程において、ＹＭＣＫ（イエロー、マゼンタ、シアン、ブラック）のそれぞれの画像を形成するためのトナー画像形成ユニット４００ａ〜４００ｄが設けられている。
【００６６】
代表してトナー画像形成ユニット４００ａのみの構成を記載すると、トナー画像形成ユニット４００ａには、感光体４０１と、感光体４０１上の残留トナーをクリーニングする清掃部材４０３と、清掃された感光体１０１の表面を帯電させる帯電部材４０５と、帯電後の感光体１０１の表面に潜像を形成するためにその表面を露光する露光部材４０７と、静電潜像を可視画像にするための現像器４０９と、感光体４０１とは転写搬送ベルト１５１を介して対向する転写ローラ４１１とが備えられている。
【００６７】
トナー画像形成ユニット４００ａ〜４００ｄよりも上流側に、静電潜像を転写紙Ｐに形成する工程（静電潜像形成工程）を実施するための静電潜像形成ユニット４５０が設けられる。
【００６８】
静電潜像形成工程を実施するための部材として、感光体４５１と、感光体４５１の表面を帯電させる帯電部材４５３と、帯電後の感光体４５１の表面に潜像を形成するためにその表面を露光する露光部材４５５とが備えられている。
【００６９】
最上流のブラック（黒）のトナー画像形成ユニット４００ｄで形成されるトナー画像パターンと、静電潜像形成工程で形成される静電潜像パターンとは、それぞれが反対のパターンとされる。
【００７０】
これにより、最もトナーの飛散りが目立ちやすいブラックのトナーに関するトナー飛散りを防止することができるという効果がある。
【００７１】
［第５の実施の形態］
【００７２】
以下に、本発明の第５の実施の形態における画像形成装置が第４の実施の形態におけるそれと異なる点について説明する。
【００７３】
第５の実施の形態における画像形成装置は、フルカラーの直接転写方式を採用する。第４の実施の形態とは異なり、ＹＭＣＫの４色すべてに対して、静電潜像形成工程を実施する。
【００７４】
図８は、第５の実施の形態における画像形成装置が備える転写部の構成を示す図である。
【００７５】
転写部は、転写搬送ベルト１５１によって転写紙Ｐを右から左に搬送し、トナー画像形成（トナー画像転写）工程において感光体から転写紙Ｐにトナー像を転写するものである。
【００７６】
図７と比較して、ＹＭＣＫのトナー画像形成ユニット４００ａ〜４００ｄのそれぞれの上流側に、静電潜像を転写紙Ｐに形成する工程（静電潜像形成工程）を実施するための静電潜像形成ユニット４５０ａ〜４５０ｄが設けられる。
【００７７】
静電潜像形成ユニット４５０ａ〜４５０ｄの各々は、ＹＭＣＫのトナー画像形成ユニット４００ａ〜４００ｄのそれぞれで形成されるトナー画像を反転させた静電潜像を形成する。これにより、トナー画像形成ユニット４００ａ〜４００ｄのトナーが、画像を形成すべきでない所に飛散ることが防止される。
【００７８】
２色目以降の静電潜像形成用の感光体（静電潜像形成ユニット４５０ａ〜４５０ｃの感光体）には、前工程のトナーが付着しないように、トナーと同極の−２００Ｖ程度を印加することが望ましい。静電潜像形成用の感光体に対向するローラは、ＧＮＤに接続すればよい。
【００７９】
［変形例］
【００８０】
トナー画像形成工程で形成されるトナー画像パターンと、静電潜像形成工程で形成される静電潜像パターンとは、ネガとポジとの関係となるだけである。すなわち静電潜像パターンを作像する露光パターンは、トナー画像と同じ露光パターンになるため、共通のプリントヘッドの光学経路を分岐することで対応することができる。
【００８１】
図９は、変形例における画像形成装置が備える転写部の構成を示す図である。
【００８２】
この転写部は、モノクロのものであってもカラーのものであってもよい。
【００８３】
転写部は、転写搬送ベルト１５１によって転写紙Ｐを右から左に搬送し、トナー画像形成（トナー画像転写）工程において感光体５０１から転写紙Ｐにトナー像を転写するものである。
【００８４】
トナー画像形成（トナー画像転写）工程を実施するための部材として、感光体５０１と、感光体５０１上の残留トナーをクリーニングする清掃部材と、清掃された感光体５０１の表面を帯電させる帯電部材と、静電潜像を可視画像にするための現像器などが設けられている。また、感光体５０１とは転写搬送ベルト１５１を介して対向する転写ローラ５１１が備えられている。
【００８５】
トナー画像形成（トナー画像転写）工程よりも上流側に、静電潜像を転写紙Ｐに形成する工程（静電潜像形成工程）を実施するための部材が設けられる。
【００８６】
静電潜像形成工程を実施するための部材として、感光体５５１と、感光体５５１の表面を帯電させる帯電部材５５３とが設けられている。
【００８７】
帯電後の感光体５５１の表面に潜像を形成するためにその表面を露光する光学ユニット（プリントヘッド：ＰＨ）と、帯電後の感光体５０１の表面に潜像を形成するためにその表面を露光する光学ユニットとして、共通の光学ユニット５５７が設けられている。共通の光学ユニット５５７の光学経路が分岐されることで、感光体５５１および感光体５０１に同様の潜像を形成することができる。
【００８８】
感光体５０１の露光位置“Ａ”からトナー像の転写位置“Ｃ”までの潜像の移動距離Ｌ１と、感光体５５１の露光位置“Ｂ”からトナー像の転写位置“Ｃ”までの潜像の移動距離Ｌ２とを等しくすることで、トナー像と潜像とを同期させることができる。
【００８９】
［実施の形態における効果］
【００９０】
以上説明した画像形成装置によると、トナー画像形成工程の感光体画像上のトナーの極性と、転写紙Ｐに形成される静電潜像の極性とを同じにすることで、両者が反発し合う。これによりトナー像は、飛散ることなく転写紙に転写される。すなわち、転写紙上に、予めトナー像を転写すべき位置を静電的に指定することで、「飛散り」現象を防ぐことができる。
【００９１】
［その他］
【００９２】
なお、画像形成装置は、モノクロ／カラーの複写機、プリンタ、ファクシミリ装置やこれらの複合機（ＭＦＰ）などいずれであってもよい。
【００９３】
また、上記実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９４】
【図１】本発明の第１の実施の形態における４サイクル画像形成装置の全体構成を示す図である。
【図２】画像形成装置が備える転写部の構成を示す図である。
【図３】トナー画像パターンと、静電潜像形成工程で形成される静電潜像パターンとを示す図である。
【図４】トナー画像形成工程における転写紙Ｐの電荷を説明するための図である。
【図５】第２の実施の形態における画像形成装置の静電潜像形成工程で形成される静電潜像パターンを示す図である。
【図６】第３の実施の形態における画像形成装置が備える転写部の構成を示す図である。
【図７】第４の実施の形態における画像形成装置が備える転写部の構成を示す図である。
【図８】第５の実施の形態における画像形成装置が備える転写部の構成を示す図である。
【図９】変形例における画像形成装置が備える転写部の構成を示す図である。
【図１０】画像形成装置の感光体から転写ベルトへ画像を転写する部分を示す図である。
【符号の説明】
【００９５】
１  ４サイクルカラー画像形成装置
１０１  感光体
１０５  帯電部材
１０７  露光部材
１０９  現像器
１１１  転写ローラ
１５１  転写搬送ベルト
２０１  感光体
２０５  帯電部材
２０７  露光部材
３０１  感光体
３０５  帯電部材
３０７  露光部材
３５１  帯電チャージャー
４００ａ〜４００ｄ  トナー画像形成ユニット
４５０  静電潜像形成ユニット
４５０ａ〜４５０ｄ  静電潜像形成ユニット
４５１  感光体
４５３  帯電部材
４５５  露光部材
５０１  感光体
５１１  転写ローラ
５５１  感光体
５５３  帯電部材
５５７  光学ユニット
Ｐ  転写紙
Ｔ  トナー
【図１】
2010002678.tif 000003
【図２】
2010002678.tif 000004
【図３】
2010002678.tif 000005
【図４】
2010002678.tif 000006
【図５】
2010002678.tif 000007
【図６】
2010002678.tif 000008
【図７】
2010002678.tif 000009
【図８】
2010002678.tif 000010
【図９】
2010002678.tif 000011
【図１０】
2010002678.tif 000012